(57)【要約】【課題】フィルタホルダの取り付けの手間を少なくすることができるフィルタホルダ付きの画像形成装置を提供する。【解決手段】排気口２Ｂが設けられた筐体２と、筐体２内に配置され、シートに画像を形成する画像形成部３と、筐体２内における排気口２Ｂと対向する位置に配されたファン４と、排気口２Ｂに設けられた複数の羽板５２を有するルーバー５と、ルーバー５から排出される排気中の塵埃を除去するフィルタ６と、フィルタ６を保持するフィルタホルダ７と、を備える画像形成装置１である。フィルタホルダ７は、フィルタ６を保持する枠体７１と、ルーバー５の複数の羽板５２のうち少なくとも１つの羽板５２Ａの上面５２１と当接し、枠体７１を筐体２に係止する係止部７２と、を有する。【選択図】図５
2018156002.tif 000002
【特許請求の範囲】
【請求項１】
排気口が設けられた筐体と、
前記筐体内に配置され、シートに画像を形成する画像形成部と、
前記筐体内における前記排気口と対向する位置に配されたファンと、
前記排気口に設けられた複数の羽板を有するルーバーと、
前記ルーバーから排出される排気中の塵埃を除去するフィルタと、
前記フィルタを保持するフィルタホルダと、
を備え、
前記フィルタホルダは、
前記フィルタを保持する枠体と、
前記ルーバーの前記複数の羽板のうち少なくとも１つの羽板の上面と当接し、前記枠体を前記筐体に係止する係止部と、
を有する、画像形成装置。
【請求項２】
前記ファンは、軸流ファンであり、
前記係止部は、前記軸流ファンの軸心方向に沿う方向において前記軸流ファンの羽と重ならない位置に配置される、請求項１に記載の画像形成装置。
【請求項３】
前記ルーバーの前記係止部が当接する羽板は、その板面が前記筐体の外側に向かって鉛直方向上側に傾斜するように配置される、請求項１又は請求項２に記載の画像形成装置。
【請求項４】
前記フィルタホルダは、
前記係止部の先端に設けられ、前記係止部が当接する羽板に係止する爪部
を有する、請求項１から請求項３のいずれか１項に記載の画像形成装置。
【請求項５】
前記係止部は、前記フィルタホルダを前記筐体から外す際に、前記係止部が当接する羽板の鉛直方向上方側に隣接する羽板に当接する、請求項１から請求項４のいずれか１項に記載の画像形成装置。
【請求項６】
前記フィルタホルダは、
前記筐体と前記枠体との間に配置され、前記枠体に取り付けられた弾性部材
を有する、請求項１から請求項５のいずれか１項に記載の画像形成装置。
【請求項７】
排気口が設けられた筐体と、前記筐体内に配置され、シートに画像を形成する画像形成部と、前記筐体内における前記排気口と対向する位置に配置されたファンと、前記排気口に設けられた複数の羽板を有するルーバーと、を備える画像形成装置に、前記ルーバーから排出される排気中の塵埃を除去するフィルタを装着するためのフィルタホルダであって、
前記フィルタを保持する枠体と、
前記ルーバーの前記複数の羽板のうち少なくとも１つの羽板の上面と当接し、前記枠体を前記筐体に係止する係止部と、
を備える、フィルタホルダ。
【発明の詳細な説明】
【技術分野】
【０００１】
本開示は、画像形成装置に関する。
【背景技術】
【０００２】
シートに画像を形成する画像形成装置において、筐体に設けられた排気口に塵埃を除去するためのフィルタが取り付けられることがある。このフィルタは、特許文献１に開示されるように、筐体に取り付けられたフィルタホルダによって保持され、排気口の外側に装着される。
【先行技術文献】
【特許文献】
【０００３】
【特許文献１】特開２０１６−１６１９１１号公報
【発明の概要】
【発明が解決しようとする課題】
【０００４】
フィルタホルダは、ユーザにより両面テープや面ファスナー等を用いて筐体に固定されることが一般的である。しかし、このような固定方法では、ユーザが両面テープや面ファスナーを筐体に取り付けるため、取り付けに手間がかかるうえ、取り付け位置のばらつきによる接着強度にバラつきが生じやすい。
【０００５】
本開示の一局面は、フィルタホルダの取り付けの手間を少なくすることができるフィルタホルダ付きの画像形成装置を提供することを目的とする。
【課題を解決するための手段】
【０００６】
本開示の一態様は、排気口（２Ｂ）が設けられた筐体（２）と、筐体（２）内に配置され、シートに画像を形成する画像形成部（３）と、筐体（２）内における排気口（２Ｂ）と対向する位置に配されたファン（４）と、排気口（２Ｂ）に設けられたルーバー（５）と、ルーバー（５）から排出される排気中の塵埃を除去するフィルタ（６）と、フィルタ（６）を保持するフィルタホルダ（７）と、を備える画像形成装置（１）である。
【０００７】
ルーバー（５）は、複数の羽板（５２）を有する。フィルタホルダ（７）は、フィルタ（６）を保持する枠体（７１）と、ルーバー（５）の複数の羽板（５２）のうち少なくとも１つの羽板（５２Ａ）の上面（５２１）と当接し、枠体（７１）を筐体（２）に係止する係止部（７２）と、を有する。
【０００８】
このような構成によれば、係止部（７２）をルーバー（５）の複数の羽板（５２）の１つの上面（５２１）に当接させることでフィルタホルダ（７）を筐体（２）に取り付けることができる。そのため、フィルタホルダ（７）の取り付けに両面テープや面ファスナー等を用いる必要が無く、取り付けの手間を少なくすることができる。
【０００９】
さらに、ユーザが画像形成装置（１）を持ち上げて搬送しようとしたときには、両面テープ等によってフィルタホルダ（７）を固定していないので係止部（７２）が外れやすくなっている。そのため、筐体（２）が持ち上がる前にフィルタホルダ（７）が外れ、ユーザがフィルタホルダ（７）を持ちあげて画像形成装置（１）を搬送しようとする誤作業を防止することができる。
【００１０】
因みに、上記各手段等の括弧内の符号は、実施形態に記載の具体的手段等との対応関係を示す一例であり、本開示は上記各手段等の括弧内の符号に示された具体的手段等に限定されるものではない。
【図面の簡単な説明】
【００１１】
【図１】実施形態に係る画像形成装置の模式的な斜視図である。
【図２】図２Ａは、図１の画像形成装置のフィルタホルダを外した状態における模式的な右側面図であり、図２Ｂは、図１の画像形成装置のフィルタホルダを外した状態での排気口周辺の模式的な斜視図である。
【図３】図１の画像形成装置のフィルタホルダを装着した状態における模式的な右側面図である。
【図４】図４Ａは、図１の画像形成装置のフィルタホルダの模式的な斜視図であり、図４Ｂは、図４Ａの一方の係止部近傍の部分拡大図である。
【図５】図５Ａは、図３のＶ−Ｖ線での模式的な部分拡大断面図であり、図５Ｂは、図５Ａにおける下側羽板の模式的な拡大図である。
【図６】図４Ａとは異なる実施形態に係るフィルタホルダの模式的な部分拡大断面図である。
【発明を実施するための形態】
【００１２】
以下に説明する「本開示の実施形態」は実施形態の一例を示すものである。つまり、特許請求の範囲に記載された発明特定事項等は、下記の実施形態に示された具体的手段や構造等に限定されるものではない。
【００１３】
本実施形態は、カラー方式の画像形成装置に本開示の画像形成装置及びフィルタホルダを適用したものである。各図に付された方向を示す矢印等は、各図相互の関係を理解し易くするために記載したものである。本開示は、各図に付された方向に限定されるものではない。
【００１４】
少なくとも符号を付して説明した部材又は部位は、「複数」や「２つ以上」等の断りをした場合を除き、少なくとも１つ設けられている。以下、本開示の実施形態を図面と共に説明する。
【００１５】
［１．第１実施形態］
［１−１．構成］
画像形成装置１は、図１及び図２Ａ，２Ｂに示すように、筐体２と、画像形成部３と、軸流ファン４と、ルーバー５と、フィルタ６と、フィルタホルダ７とを備える。
【００１６】
＜筐体＞
筐体２は、図２Ａ，２Ｂに示すように、外観意匠の右側面を構成するカバー２Ａに排気口２Ｂが設けられている。なお、図２Ａ，２Ｂは、筐体２からフィルタホルダ７を取り外した状態を示している。
【００１７】
排気口２Ｂは、筐体２内の空気を外部に排出するための開口であり、軸流ファン４と対向する位置に形成されている。具体的には、排気口２Ｂは、カバー２Ａの後方の上側に設けられている。また、排気口２Ｂは矩形状である。
【００１８】
また、筐体２は、鉛直方向上側に画像を形成したシートを排出する排紙トレイ２Ｃと、筐体２の開口を塞ぐ開閉カバー２Ｄとを有する。ここで、本実施形態における「前」とは、水平方向のうち、シートが排紙トレイ２Ｃに排出される方向をいう。また、本実施形態における「右」とは、水平方向のうち、排紙方向と直交する方向において開閉カバー２Ｄ側から視て右手となる方向をいう。
【００１９】
＜画像形成部＞
画像形成部３は、筐体２内に配置されている。画像形成部３は、現像ユニット、感光体ドラム、帯電器、露光器、定着器等（図示せず。）を有し、シートに画像を形成する。
【００２０】
＜軸流ファン＞
軸流ファン４は、筐体２内において、排気口２Ｂと対向する位置に配されている。軸流ファン４は、筐体２内の空気を外部に排出するための気流を発生させる。軸流ファン４は、その軸心方向がカバー２Ａと垂直な方向（つまり筐体２の左右方向）となる向きに配置されている。
【００２１】
＜ルーバー＞
ルーバー５は、排気口２Ｂの筐体２の外側に設けられている。ルーバー５は、枠部５１と、複数の羽板５２とを有する。
【００２２】
枠部５１は、排気口２Ｂの外縁に沿った閉曲線状に設けられている。本実施形態では矩形状の閉曲線を形成している。複数の羽板５２は、排気口２Ｂの外側に突出するように枠部５１に取り付けられている。
【００２３】
複数の羽板５２は、水平方向に延伸した複数の帯状の板材で構成される。つまり、複数の羽板５２は、水平方向に平行な複数のスリットを排気口２Ｂに形成するように配置されている。
【００２４】
また、複数の羽板５２は、図２Ｂに示すように、板面が筐体２の外側に向かって鉛直方向上側に傾斜するように配置されている。なお、複数の羽板５２における筐体２の外側の先端部５２２は、鉛直方向上側に屈曲している。
【００２５】
複数の羽板５２は、板面が互いに平行になるように上下方向に一定間隔で並置されている。筐体２内の空気は、複数の羽板５２の板面に沿って筐体２の外側に排出される。本実施形態では筐体２内の空気は上方に向かって排出される。
【００２６】
＜フィルタ＞
フィルタ６は、ルーバー５から排出される排気中の塵埃等の浮遊物を除去する。フィルタ６は、フィルタホルダ７によって保持され、ルーバー５と対向する位置に配置されている。フィルタ６としては、例えば不織布、濾紙等のシート状部材を波状に折り曲げたものを使用できる。
【００２７】
＜フィルタホルダ＞
フィルタホルダ７は、画像形成装置１にフィルタ６を装着するための部材である。図１及び図３に示すように、フィルタホルダ７は、ルーバー５を覆うように筐体２の外側に取り付けられる。なお、図３では、フィルタ６の図示は省略している。
【００２８】
フィルタホルダ７は、図４Ａ，４Ｂに示すように、枠体７１と、１対の係止部７２と、弾性部材７３と、排出部７４とを有する。本実施形態では、フィルタホルダ７は、樹脂で形成された一体品である。なお、図３では、排出部７４の図示は省略している。
【００２９】
枠体７１は、フィルタ６を保持する部材である。枠体７１は、フィルタ６を支持する支持部７１Ａと、支持部７１Ａの中央に設けられた開口部７１Ｂとを有する。支持部７１Ａは、矩形状の外形を有する。フィルタ６は、開口部７１Ｂを塞ぐように支持部７１Ａの筐体２とは反対側の面に配置される。
【００３０】
１対の係止部７２は、枠体７１を筐体２に係止する部材である。１対の係止部７２は、それぞれ、フィルタホルダ７が筐体２に取り付けられた状態において、鉛直方向下方かつ筐体２に向かう方向（つまり本実施形態では左側）に突出している。
【００３１】
１対の係止部７２は、図４Ａに示すように、フィルタホルダ７が筐体２に取り付けられた状態において、軸流ファン４の軸心方向に沿う方向（つまり本実施形態では筐体２の左右方向）において軸流ファン４の羽４Ａと重ならない位置に配置されている。
【００３２】
具体的には、１対の係止部７２は、枠体７１の鉛直方向上方に水平方向に離間して設けられている。つまり、１対の係止部７２は、支持部７１Ａの鉛直方向上方の２隅に設けられている。
【００３３】
弾性部材７３は、枠体７１の筐体２と接触する部位に取り付けられている。したがって、弾性部材７３は、フィルタホルダ７が筐体２に取り付けられた状態において、筐体２と枠体７１との間に配置される。具体的には、弾性部材７３は、枠体７１の支持部７１Ａを囲うように配置されている。
【００３４】
弾性部材７３は、フィルタホルダ７内の空気が漏れないように封止できる材質であれば特に限定されない。弾性部材７３としては、例えばスポンジが好適に使用できる。弾性部材７３は、例えば接着剤等により枠体７１に張り付けられる。
【００３５】
排出部７４は、フィルタ６を通過した空気がフィルタホルダ７の外部に排出される部位である。排出部７４は、フィルタ６と対向するように設けられた開口部７４Ａと、開口部７４Ａに設けられた複数の羽板７４Ｂとを有する。複数の羽板７４Ｂは、ルーバー５の複数の羽板５２と同様のものである。
【００３６】
＜フィルタホルダの取り付け及び取り外し＞
フィルタホルダ７は、図５Ａ，５Ｂに示すように、１対の係止部７２が、それぞれルーバー５の複数の羽板５２のうち、鉛直方向上方から２番目の下側羽板５２Ａの上面５２１と当接することで、筐体２に取り付けられる。
【００３７】
ここで、羽板５２の上面５２１は、１枚の羽板５２において鉛直方向上方視で露出する面を意味する。つまり、羽板５２の上面５２１は、１枚の羽板５２を羽板５２よりも鉛直方向下方にある仮想水平面に投影したとき、この仮想水平面上に現れる面を意味する。したがって、本実施形態では、下側羽板５２Ａの先端部５２２における筐体２側（つまり左側）の鉛直面及び上面も下側羽板５２Ａの上面５２１を構成する。
【００３８】
具体的には、フィルタホルダ７が筐体２に取り付けられた状態において、１対の係止部７２は、それぞれ、下側羽板５２Ａと、鉛直方向上方から１番目の上側羽板５２Ｂとの間に形成された隙間に挿入されている。なお、上側羽板５２Ｂは、下側羽板５２Ａの鉛直方向上方側に隣接する羽板である。
【００３９】
係止部７２の下面は、下側羽板５２Ａの上面５２１（より具体的には下側羽板５２Ａの鉛直方向に屈曲した先端部５２２の角部）に当接している。また、係止部７２の上面は、上側羽板５２Ｂの下面全体と当接している。
【００４０】
フィルタホルダ７が筐体２に取り付けられた状態では、下側羽板５２Ａの上面５２１に作用する重力の分力によって係止部７２が筐体２の外側に移動することが規制される。そのため、下側羽板５２Ａに上方から係止した係止部７２により、フィルタホルダ７の落下が抑制される。
【００４１】
一方、フィルタホルダ７を筐体２から取り外す際には、係止部７２は上側羽板５２Ｂの下面に当接しながら図５Ａ中の左上方向にスライドされる。これにより、係止部７２の係止が解除され、フィルタホルダ７を筐体２から取り外すことができる。
【００４２】
換言すれば、フィルタホルダ７が筐体２に取り付けられた状態において、フィルタホルダ７を鉛直方向上方に押し上げると、係止部７２が上側羽板５２Ｂの下面にガイドされて筐体２の外側（つまり左側）にも移動する。その結果、フィルタホルダ７が筐体２から取り外される。
【００４３】
［１−２．効果］
以上詳述した実施形態によれば、以下の効果が得られる。
（１ａ）フィルタホルダ７は、係止部７２がルーバー５の下側羽板５２Ａの上面５２１に当接することで筐体２に取り付けることができる。これにより、フィルタホルダ７の取り付けに両面テープや面ファスナー等を用いる必要が無く、取り付けの手間を少なくすることができる。
【００４４】
また、ユーザが画像形成装置１を持ち上げて搬送しようとしたときには、両面テープ等によってフィルタホルダ７を固定していないので係止部７２が外れやすくなっている。そのため、筐体２が持ち上がる前にフィルタホルダ７が外れ、ユーザがフィルタホルダ７を持ちあげて画像形成装置１を搬送しようとする誤作業を防止することができる。
【００４５】
（１ｂ）係止部７２が軸流ファン４の羽４Ａと重ならないように配置されるので、係止部７２の排気への影響を小さくすることができる。その結果、排気効率の低下を抑えることができる。
【００４６】
（１ｃ）ルーバー５の下側羽板５２Ａ及び上側羽板５２Ｂは、それぞれ板面が筐体２の外側に向かって鉛直方向上側に傾斜するように配置されるので、フィルタホルダ７の脱着が容易である。つまり、フィルタホルダ７の取り付けが容易にできると共に、フィルタホルダ７を下から把持した際により確実に筐体２から脱落させることができる。
【００４７】
（１ｄ）フィルタホルダ７を筐体２から外す際に、係止部７２が上側羽板５２Ｂに当接するので、フィルタホルダ７を上側羽板５２Ｂの厚み方向に位置決めできる。その結果、フィルタホルダ７を安定して取り付けることができる。
【００４８】
また、フィルタホルダ７の取り外し時には、上側羽板５２Ｂが係止部７２を筐体２から脱離させるガイドとなるので、フィルタホルダ７を筐体２から容易に脱落させることができる。
【００４９】
（１ｅ）筐体２と枠体７１との間に配置された弾性部材７３をフィルタホルダ７が有するので、筐体２と枠体７１との間からの空気漏れを抑制することができる。これにより、フィルタ６による塵埃の除去性能を高めることができる。
【００５０】
［２．他の実施形態］
以上、本開示の実施形態について説明したが、本開示は、上記実施形態に限定されることなく、種々の形態を採り得ることは言うまでもない。
【００５１】
（２ａ）上記実施形態の画像形成装置１において、係止部７２は、軸流ファン４の軸心方向に沿う方向において軸流ファン４の羽４Ａと重なる位置に配置されてもよい。
また、排気用のファンとして軸流用ファン以外のファンを用いてもよい。
【００５２】
（２ｂ）上記実施形態の画像形成装置１において、ルーバー５の複数の羽板５２は、必ずしも水平方向に延伸する必要はなく、水平方向に対し傾斜した向き（例えば右下から左上に向かう方向）に延伸してもよい。
【００５３】
（２ｃ）上記実施形態の画像形成装置１において、ルーバー５の複数の羽板５２の先端部５２２は必ずしも鉛直方向に屈曲していなくてもよい。
また、ルーバー５の複数の羽板５２は、少なくとも下側羽板５２Ａにおける係止部７２が当接する部分の板面が筐体２の外側に向かって鉛直方向上側に傾斜すればよく、下側羽板５２Ａの係止部７２と当接しない部分、及び下側羽板５２Ａ以外の羽板５２の板面は、上述のように傾斜する必要はない。
【００５４】
さらには、係止部７２が下側羽板５２Ａへ当接することで枠体７１が筐体２に係止可能な構成であれば、下側羽板５２Ａにおいても板面が上述のように傾斜している必要はない。そのため、例えば全ての羽板５２を板面が水平方向となる向きに配置してもよい。
【００５５】
（２ｄ）上記実施形態の画像形成装置１において、係止部７２の形状は一例である。したがって、フィルタホルダ７が筐体２に取り付けられている状態で、係止部７２は必ずしも上側羽板５２Ｂと当接する必要はない。また、フィルタホルダ７を筐体２から外す際においても、係止部７２は必ずしも上側羽板５２Ｂに当接する必要はない。
【００５６】
さらに、例えば図６に示すように、係止部７２は、先端に爪部７２Ａを有してもよい。この爪部７２Ａは、下側羽板５２Ａに係止するように構成されている。具体的には、爪部７２Ａは、係止部７２の筐体２側の端部から下方に突出し、下側羽板５２Ａの鉛直方向に屈曲した先端部５２２の筐体２側の鉛直面に当接する形状を有する。
【００５７】
（２ｅ）上記実施形態の画像形成装置１において、係止部７２として弾性体を用い、スナップフィットにより係止部７２が下側羽板５２Ａに係合する機構を採用することもできる。
【００５８】
（２ｆ）上記実施形態の画像形成装置１において、係止部７２の数は２つに限定されない。したがって、係止部７２の数は１つでもよいし、３つ以上であってもよい。また、フィルタホルダ７における係止部７２の位置、及び係止部７２のルーバー５における係止位置も上述のものに限定されない。
【００５９】
（２ｇ）上記実施形態の画像形成装置１において、フィルタホルダ７の枠体７１に取り付けられた弾性部材７３は必須の構成要素ではなく、フィルタホルダ７の構成によっては省略することが可能である。
【００６０】
（２ｈ）上記実施形態における１つの構成要素が有する機能を複数の構成要素として分散させたり、複数の構成要素が有する機能を１つの構成要素に統合したりしてもよい。また、上記実施形態の構成の一部を省略してもよい。また、上記実施形態の構成の少なくとも一部を、他の上記実施形態の構成に対して付加、置換等してもよい。なお、特許請求の範囲に記載の文言から特定される技術思想に含まれるあらゆる態様が本開示の実施形態である。
【符号の説明】
【００６１】
１…画像形成装置、２…筐体、２Ａ…カバー、２Ｂ…排気口、２Ｃ…排紙トレイ、
２Ｄ…開閉カバー、３…画像形成部、４…軸流ファン、４Ａ…羽、５…ルーバー、
６…フィルタ、７…フィルタホルダ、５１…枠部、５２…羽板、５２Ａ…下側羽板、
５２Ｂ…上側羽板、７１…枠体、７１Ａ…支持部、７１Ｂ…開口部、７２…係止部、
７２Ａ…爪部、７３…弾性部材、７４…排出部、７４Ａ…開口部、７４Ｂ…羽板、
５２１…上面、５２２…先端部。
【図１】
2018156002.tif 000003
【図２】
2018156002.tif 000004
【図３】
2018156002.tif 000005
【図４】
2018156002.tif 000006
【図５】
2018156002.tif 000007
【図６】
2018156002.tif 000008